(57)【要約】【課題】雄体と雌体とを脱着自在に結合しつつ、雌体側の操作で雄体の離脱を可能とし、たとえ雄体の周囲に障害物が存在する場合であっても、容易に離脱のための作業をすることができる継手構造を提供する。【解決手段】雄体１０の一端に、回り止め溝１１Ａを有する抜け止め１１が設けられると共に、雌体２０の一端に、雄体１０の抜け止め１１が挿入可能な開口２１Ａを有する蓋２１と、抜け止め１１の回り止め溝１１Ａに嵌まり込むロックレバー２２とが設けられ、蓋２１の開口２１Ａから雄体１０の抜け止め１１を雌体２０内に差し込んだ後、抜け止め１１を捻り、ロックレバー２２を抜け止め１１の回り止め溝１１Ａに嵌め込むと結合状態となる継手構造。【選択図】  図１
2004204926.tif 000002
【特許請求の範囲】
【請求項１】
雄体（１０）と雌体（２０）とを脱着自在に結合する継手構造であって、雄体（１０）の一端に、回り止め溝（１１Ａ）を有する抜け止め（１１）が設けられると共に、雌体（２０）の一端に、雄体（１０）の抜け止め（１１）が挿入可能な開口（２１Ａ）を有する蓋（２１）と、抜け止め（１１）の回り止め溝（１１Ａ）に嵌まり込むロックレバー（２２）とが設けられ、蓋（２１）の開口（２１Ａ）から雄体（１０）の抜け止め（１１）を雌体（２０）内に差し込んだ後、抜け止め（１１）を捻り、ロックレバー（２２）を抜け止め（１１）の回り止め溝（１１Ａ）に嵌め込むと結合状態となることを特徴とする継手構造。
【請求項２】
回転可能なロックレバー（２２）に解除突起（２３）とスプリング（２４）とが設けられ、スプリング（２４）により、ロックレバー（２２）が抜け止め（１１）の回り止め溝（１１Ａ）に嵌まり込む方向に回転するように弾みが付けられていることを特徴とする請求項１に記載の継手構造。
【請求項３】
雌体（２０）の他端にシリンダー（３０）が接続され、シリンダー（３０）のロッド（３０Ａ）を引っ込めると障壁（４０）に解除突起（２３）が接触し、ロックレバー（２２）が抜け止め（１１）の回り止め溝（１１Ａ）から外れることを特徴とする請求項２に記載の継手構造。
【発明の詳細な説明】
【０００１】
【発明の属する技術分野】
本発明は、雄体と雌体とを脱着自在に結合する継手構造に関するものであり、特に、雄体と雌体とをガタツキなく強固に結合することができる継手構造に関するものである。
【０００２】
【従来の技術】
従来から、雄体と雌体とを脱着自在に結合する継手構造として、傾斜面を有する外カラーに押圧部材を接触させる構造が知られている。即ち、図５に示すように、雌体２０の一端に、傾斜面２５Ａを有する外カラー２５を設けると共に、外カラー２５の内側に、鋼球の押圧部材２７を収納した内カラー２６を挿入した構造である。
【０００３】
そして、雄体１０を雌体２０内に差し込んだ状態で引き抜き力が作用すると、外カラー２５の傾斜面２５Ａによって押圧部材２７が雄体１０の表面に向かい、結合力を発揮するようになっている（例えば、特許文献１参照。）。
【０００４】
【特許文献１】
特開平８−９３７３０号公報  （第２−３頁、図１）
【０００５】
【発明が解決しようとする課題】
しかしながら、特許文献１の継手構造は、結合及び離脱が極めて容易であるという特徴を有するものの、離脱に際しては、雄体１０側から雌体２０側に向けて内カラー２６を押し込まなければならない。そのため、雄体１０の周囲に障害物が存在する場合には、手や工具が入りにくいため、離脱の作業性が悪いという問題があった。
【０００６】
そこで本発明は、雄体と雌体とを脱着自在に結合しつつ、雌体側の操作で雄体の離脱を可能とし、たとえ雄体の周囲に障害物が存在する場合であっても、容易に離脱のための作業をすることができる継手構造を提供することを目的とするものである。
【０００７】
【課題を解決するための手段】
本発明は、以上の課題を解決するためになされたものであって、その要旨は、雄体と雌体とを脱着自在に結合する継手構造であって、雄体の一端に、回り止め溝を有する抜け止めが設けられると共に、雌体の一端に、雄体の抜け止めが挿入可能な開口を有する蓋と、抜け止めの回り止め溝に嵌まり込むロックレバーとが設けられ、蓋の開口から雄体の抜け止めを雌体内に差し込んだ後、抜け止めを捻り、ロックレバーを抜け止めの回り止め溝に嵌め込むと結合状態となる継手構造に係るものである。
【０００８】
そして好ましくは、回転可能なロックレバーに解除突起とスプリングとが設けられ、スプリングにより、ロックレバーが抜け止めの回り止め溝に嵌まり込む方向に回転するように弾みが付けられている継手構造に係るものである。この場合特に、雌体の他端にシリンダーを接続しておき、シリンダーのロッドを引っ込めると障壁に解除突起が接触し、ロックレバーが抜け止めの回り止め溝から外れるようにすることもできる。
【０００９】
【発明の実施の形態】
本発明の継手構造は、雄体の一端に抜け止めが設けられている。この抜け止めは、例えば雄体の先端で外向きに突出する凸部であり、凸部は１個であっても２個以上であってもよいが、対称に設けられた２個一組の凸部をもって抜け止めとすることが好ましい。なお、凸部の正面及び背面は平面に形成しておくことが好ましい。
【００１０】
一方、雌体の一端には蓋が設けられ、蓋によって雌体の内部に空間が形成されることとなる。また、蓋は開口を有しており、この開口から雄体の抜け止めが空間内に挿入できるようになっている。なお、蓋の内面及び外面、雌体の空間の底面は平面に形成しておくことが好ましい。
【００１１】
従って、抜け止めの位置を蓋の開口に合わせてやれば、雌体の空間内に簡単に抜け止めを差し込むことができる。そして、差し込み後に抜け止めを捻れば、抜け止めと開口との位置関係がずれ、抜け止めの背面と蓋の内面とが接触するようになるので、雄体と雌体とが結合状態となる。
【００１２】
但し、この状態のままでは抜け止めが不用意に捻られ、再び抜け止めの位置と蓋の開口とが合致し、雄体と雌体とが離脱してしまうおそれがある。そこで、本発明の継手構造では、雄体の抜け止めが回り止め溝を有しており、雌体に設けられたロックレバーが嵌まり込むようになっている。即ち、蓋の開口から雄体の抜け止めを雌体内に差し込んだ後、抜け止めを捻れば、ロックレバーが抜け止めの回り止め溝に嵌まり込むのである。従って、抜け止めが不用意に捻られることはない。
【００１３】
ここで、回り止め溝に対するロックレバーの嵌め込みは、手動で行うこともできるが、自動的なものとすることが好ましい。例えば、ロックレバーを回転可能にしておいてスプリングを設け、スプリングによって、ロックレバーが回り止め溝に嵌まり込む方向に回転するように弾みを付けておくのである。このようにすれば、蓋の開口から抜け止めを差し込むと抜け止めがロックレバーを押し上げ、その後、抜け止めを捻ってロックレバーが回り止め溝と合致すると、その時点でスプリングの弾みで自動的に嵌まり込む。
【００１４】
以上は、雄体を雌体に結合させる場合であるが、脱着時は逆の手順になるだけである。即ち、最初に結合状態にあるロックレバーを操作し、回り止め溝から外しておく。なお、ロックレバーにスプリングを設けた場合には、外しやすいように解除突起を設けておく。そして、ロックレバーの嵌め込みを解除したまま、今度は逆に抜け止めを反対向きに捻り、抜け止めの位置を蓋の開口に合わせて引っ張れば、雄体を簡単に引き抜くことができる。
【００１５】
ここで、ロックレバーの嵌め込みの解除は、手動で行うこともできるが、自動的なものとすることが好ましい。例えば、雌体の他端にシリンダーを接続しておき、シリンダーのロッドを引っ込めると障壁に解除突起が接触し、ロックレバーが抜け止めの回り止め溝から外れるようにしておくのである。
【００１６】
【実施例】
以下、本発明の継手構造における最良の実施の形態を図面をもって説明する。図１は、本発明の継手構造の一例を示す一部断面図であり、雄体１０と雌体２０とが脱着自在に結合できるようになっている。ここで、雄体１０の一端には抜け止め１１が設けられ、雌体２０の一端には蓋２１とロックレバー２２とが設けられている。また、蓋２１には抜け止め１１に対応した開口２１Ａが形成されており、ロックレバー２２は抜け止め１１の回り止め溝１１Ａに嵌まり込むようになっている。なお、ロックレバー２２には解除突起２３とスプリング２４とが設けられている。
【００１７】
次に、図２に基づいて、雄体１０と雌体２０との結合について説明する。最初に雄体１０の抜け止め１１を蓋２１の開口２１Ａに合わせておく。そして、そのまま抜け止め１１を開口２１Ａに挿入すれば、スプリング２４の弾みに反してロックレバー２２を押し上げ、抜け止め１１が蓋２１を通って雌体２０内に入り込む。
【００１８】
このようにして雄体１０の抜け止め１１を雌体２０内に差し込んだ後、抜け止め１１を捻れば、図２に示すように、抜け止め１１の回り止め溝１１Ａがロックレバー２２と一致した段階でスプリング２４が作用し、ロックレバー２２が自動的に回り止め溝１１Ａに嵌まり込む。すると、抜け止め１１の回転が阻止され、引き抜き力が加わっても抜け止め１１の背面と蓋２１の内面とが接触していることから、雄体１０と雌体２０の結合が完了する。
【００１９】
一方、雌体２０から雄体１０を脱着させる場合には、結合と逆の手順になる。即ち、最初に解除突起２３を使ってロックレバー２２を持ち上げ、抜け止め１１の回り止め溝１１Ａからロックレバー２２を外しておく。次に、抜け止め１１を捻り、図３に示すように、蓋２１の開口２１Ａに合わせる。そして、抜け止め１１を引き抜けば、雌体２０から雄体１０が離脱する。
【００２０】
図４は、本発明の継手構造の他の例を示す一部断面図である。図４に示す例の継手構造は、図１の例のものに対し、脱着の自動化を図ったものである。即ち、雌体２０の他端にシリンダー３０を接続し、シリンダー３０のロッド３０Ａを引っ込めると障壁４０に解除突起２３が接触するようにしたものである。このようにすれば、解除突起２３を使って手動でロックレバー２２を持ち上げなくても、抜け止め１１の回り止め溝１１Ａからロックレバー２２を外すことができる。
【００２１】
【発明の効果】
本発明の継手構造は、雄体の一端に、回り止め溝を有する抜け止めが設けられると共に、雌体の一端に、雄体の抜け止めが挿入可能な開口を有する蓋と、抜け止めの回り止め溝に嵌まり込むロックレバーとが設けられ、蓋の開口から雄体の抜け止めを雌体内に差し込んだ後、抜け止めを捻り、ロックレバーを抜け止めの回り止め溝に嵌め込むと結合状態となるので、逆に、ロックレバーの嵌め込みを解除し、抜け止めを反対向きに捻って引っ張れば雄体を引き抜くことができる。そのため、雌体側の操作で雄体の離脱が可能となり、たとえ雄体の周囲に障害物が存在する場合であっても、容易に離脱のための作業をすることができる。
【図面の簡単な説明】
【図１】図１は、本発明の継手構造の一例を示す一部断面図である。
【図２】図２は、図１に示す例の継手構造における結合時の状況を示す一部断面図である。
【図３】図３は、図１に示す例の継手構造における脱着時の状況を示す一部断面図である。
【図４】図４は、本発明の継手構造の他の例を示す一部断面図である。
【図５】図５は、従来の継手構造の一例を示す一部断面図である。
【符号の説明】
１０‥雄体
１１‥抜け止め
１１Ａ‥回り止め溝
２０‥雌体
２１‥蓋
２１Ａ‥開口
２２‥ロックレバー
２３‥解除突起
２４‥スプリング
２５‥外カラー
２５Ａ‥傾斜面
２６‥内カラー
２７‥押圧部材
３０‥シリンダー
３０Ａ‥ロッド
４０‥障壁
【図１】
2004204926.tif 000003
【図２】
2004204926.tif 000004
【図３】
2004204926.tif 000005
【図４】
2004204926.tif 000006
【図５】
2004204926.tif 000007